(57)【要約】【課題】必ずエラーになる無駄な通信が代行受信先に対し行われることを防ぎ、データ不達のまま終わること防いで、確実なデータ送信を行う。【解決手段】ファクシミリ装置は、ファクシミリ通信での条件を入力するための入力部と、入力部になされた条件に従ったファクシミリ送信である条件付送信を行ったところ、本来の送信先である受信側装置が受信できないときに代替受信を行う代行受信先のアドレス情報の通知を受信した場合、代行受信先に対し条件付送信を行い、代行受信先への条件付送信の送信が失敗したとき、代行受信先への条件付送信のリダイヤルを行わない通信部と、を含む。【選択図】図１３
2012099963.tif 000002
【特許請求の範囲】
【請求項１】
ファクシミリ通信での条件を入力するための入力部と、
前記入力部になされた前記条件に従ったファクシミリ送信である条件付送信を行ったところ、本来の送信先である受信側装置が受信できないときに代替受信を行う代行受信先のアドレス情報の通知を受信した場合、前記代行受信先に対し前記条件付送信を行い、前記代行受信先への前記条件付送信の送信が失敗したとき、前記代行受信先への前記条件付送信のリダイヤルを行わない通信部と、を含むことを特徴とするファクシミリ装置。
【請求項２】
前記通信部は、受信側装置が受信可能状態となっている旨を受信したことをトリガとして、前記条件付送信を前記受信側装置に向けて送信することを特徴とする請求項１記載のファクシミリ装置。
【請求項３】
前記通信部は、前記受信側装置が受信可否状態か否かを認識するサーバから受信側装置が受信可能状態となっている旨を受信したことをトリガとして、前記前記条件付送信を前記受信側装置に向けて送信することを特徴とする請求項１又は２に記載のファクシミリ装置。
【請求項４】
前記通信部は、前記代行受信先への前記条件付送信の送信が失敗してから、前記条件がないときの待ち時間以上の予め定められた待ち時間の経過後、前記受信側装置に向け前記条件付送信のリダイヤルを行うことを特徴とする請求項１乃至３のいずれか１項に記載のファクシミリ装置。
【請求項５】
前記通信部は、前記代行受信先への前記条件付送信の送信が失敗したとき、前記条件を外して前記代行受信先に送信を行うことを特徴とする請求項１乃至３のいずれか１項に記載のファクシミリ装置。
【請求項６】
少なくともメッセージを報知する報知部、を含み、
前記報知部は、前記受信側装置及び／又は前記代行受信先への前記条件付送信のリダイヤルを予め定められた回数行っても前記条件付送信が全て失敗したとき、前記条件付送信が完了していない旨のエラーメッセージを報知することを特徴とする請求項１乃至５のいずれか１項に記載のファクシミリ装置。
【請求項７】
用紙に画像を形成する画像形成部、を含み、
前記画像形成部は、前記受信側装置及び／又は前記代行受信先への前記条件付送信のリダイヤルを予め定められた回数行っても前記条件付送信が全て失敗したとき、前記条件付送信が完了していない旨のエラーメッセージを含む画像を形成することを特徴とする請求項１乃至６のいずれか１項に記載のファクシミリ装置。
【請求項８】
前記条件付送信は、Ｆコード送信、及び／又は、暗号送信であることを特徴とする請求項１乃至７のいずれか１項に記載のファクシミリ装置。
【請求項９】
送信元ファクシミリ装置と、前記送信元ファクシミリ装置の送信先としての受信側装置と、を含む通信システムであって、
前記送信元ファクシミリ装置は、
ファクシミリ通信での条件を入力するための入力部と、
前記入力部になされた前記条件に従ったファクシミリ送信である条件付送信を行ったところ、前記受信側装置が受信できないときに代替受信を行う代行受信先のアドレス情報通知を受信した場合、前記代行受信先に対し前記条件付送信を行い、前記代行受信先への前記条件付送信の送信が失敗したとき、前記代行受信先への前記条件付送信のリダイヤルを行わない通信部と、を有することを特徴とする通信システム。
【発明の詳細な説明】
【技術分野】
【０００１】
本発明は、ファクシミリ装置、及び、複数のファクシミリ装置からなる通信システムに関する。
【背景技術】
【０００２】
ＦＡＸ通信では、送信側と受信側のファクシミリ装置間で通信が行われる。しかし、受信側が受信不可状態（メモリフル状態や、メンテナンス中や、用紙の詰まり等のエラーや話し中など）であるため、送信側ファクシミリ装置からのファクシミリ送信が失敗する場合がある。そこで、相手方へのファクシミリ送信の未達を防ぐため、代行受信先の宛先に基づき、送信側ファクシミリ装置に代行受信先に送信を行わせ、代行受信先に受信を代行させることがある。このようなファクシミリ装置の一例が特許文献１に記載されている。
【０００３】
具体的に、特許文献１には、送信先のダイヤル番号および送信先に対応する代行先のダイヤル番号を記憶する記憶手段と、送信先もしくは代行先のダイヤル番号に基づいて発呼を行う発呼手段と、相手先の状態を判断する判断手段と、を有する代行先送信機能を有するファクシミリ装置において、発呼手段にて発呼を行ったときに送信先との回線接続が成立しない場合、回線不接続の理由を判断手段が判断し、判断結果に応じて発呼手段にて代行先へ発呼を行い、代行先との回線接続も成立しない場合には、判断手段が判断した判断結果に基づき、元の送信先に再度発呼するか、代行先に再発呼するかを決定するファクシミリ装置が記載されている。この構成により、操作者（ユーザ）の意向を反映し、また、代行送信におけるファクシミリの送信効率を向上させようとする（特許文献１：請求項１、段落［００２６］等参照）。
【先行技術文献】
【特許文献】
【０００４】
【特許文献１】特開２００２−３２００８１号公報
【発明の概要】
【発明が解決しようとする課題】
【０００５】
まず、ファクシミリ通信では、多様な通信形態がある。例えば、暗号通信の場合、正常に受信できるように、受信側では、送信に用いる暗号化鍵に対し、暗号化されたデータを復号できる鍵が復号用の鍵として設定される。このように、ファクシミリ通信では正常に送受信を行うため、送信側と受信側で条件をあわせる設定を行う必要がある場合がある。
【０００６】
しかし、代行受信するファクシミリ装置が、本来の宛先の受信側ファクシミリ装置と同じ設定がなされているとは限らず、代行受信先では正常に受信できない場合がある。そして、ファクシミリ装置は、通常、データが正常に送信できなかった場合、リダイヤルを行うリダイヤル機能を有する。しかし、代行受信先での設定が、条件に沿わず正常に受信できない設定である以上、何度、代行受信先に対しリダイヤルを行っても、送信エラーとなる。この場合、リダイヤルの繰り返しにより、必ずエラーになる無駄な通信が代行受信先に対し何度も行われるという問題がある。
【０００７】
更に、リダイヤル回数は、通常、予め決められており、予め定められた回数のリダイヤルが行われると、送信側ファクシミリ装置は、送信を止める。そして、代行受信先に対するリダイヤルは、送信エラーとなるので、送信しようとしたデータが到達しない蓋然性が高い。従って、単にリダイヤルが予め定められた回数続けられ、結局、そのまま未達に終わる可能性が高いという問題もある。
【０００８】
ここで、特許文献１記載のファクシミリ装置をみると、元の送信先に再度発呼するか、代行先に再発呼するかが自動的に決定されるので、確かに、ファクシミリの送信効率を向上させることができる場合がある。しかし、特許文献１の発明では、代行受信先での設定が本来の受信側ファクシミリ装置と同様の設定でないことに起因して、無駄な通信が行われることを防ぐことができない。又、本来の受信側ファクシミリ装置の受信不可状態が長引けば、データが未達に終わる。
【０００９】
本発明は、上記の問題点に鑑み、必ずエラーになる無駄な通信が代行受信先に対し行われることを防ぎ、データ不達のまま終わること防いで、確実なデータ送信を行うことを課題とする。
【課題を解決するための手段】
【００１０】
上記課題解決のため請求項１に係るファクシミリ装置は、ファクシミリ通信での条件を入力するための入力部と、前記入力部になされた前記条件に従ったファクシミリ送信である条件付送信を行ったところ、本来の送信先である受信側装置が受信できないときに代替受信を行う代行受信先のアドレス情報の通知を受信した場合、前記代行受信先に対し前記条件付送信を行い、前記代行受信先への前記条件付送信の送信が失敗したとき、前記代行受信先への前記条件付送信のリダイヤルを行わない通信部と、を含むこととした。
【００１１】
又、上記課題解決のため請求項９に係る通信システムは、送信元ファクシミリ装置と、前記送信元ファクシミリ装置の送信先としての受信側装置と、を含む通信システムであって、前記送信元ファクシミリ装置は、ファクシミリ通信での条件を入力するための入力部と、前記入力部になされた前記条件に従ったファクシミリ送信である条件付送信を行ったところ、前記受信側装置が受信できないときに代替受信を行う代行受信先のアドレス情報通知を受信した場合、前記代行受信先に対し前記条件付送信を行い、前記代行受信先への前記条件付送信の送信が失敗したとき、前記代行受信先への前記条件付送信のリダイヤルを行わない通信部と、を有することとした。
【００１２】
この構成によれば、送信を行うファクシミリ装置の通信部は、代行受信先への条件付送信の送信が失敗したとき、代行受信先への条件付送信のリダイヤルを行わない。これにより、一度送信に失敗すると、受信条件に起因してエラーになるような無駄な送信が、送信側ファクシミリ装置から、代行受信先に対し行われない。従って、送信側ファクシミリ装置の繰り返しのリダイヤルによる無駄な通信路の利用が無くなり、無駄な通信費用の発生や、話し中による受信不可等の弊害を無くすことができる。
【００１３】
尚、条件付送信とは、正常に受信するには、送信側と受信側のファクシミリ装置で、予め条件を合わせる設定が必要な通信の態様である。例えば、ファクシミリにおけるＦコード通信や暗号通信などの機能が該当する。
【００１４】
又、請求項２に係る発明は、請求項１の発明において、前記通信部は、受信側装置が受信可能状態となっている旨を受信したことをトリガとして、前記条件付送信を前記受信側装置に向けて送信することとした。
【００１５】
この構成によれば、通信部は、受信側装置から受信可能状態となっている旨を受信したことをトリガとして、条件付送信を受信側装置に向けて送信する。受信側装置の中には、受信可能な状態であるか否かを通知、応答するものがある。これにより、受信側装置が受信可能状態の旨の受信をトリガとして、条件付送信が本来の送信先（受信側装置）に対して行われる。従って、無駄なリダイヤルを防ぎつつ、データ不達のまま終わることを防ぎ相手方に対し、確実にデータを送信することができる。
【００１６】
又、請求項３に係る発明は、請求項１又は２の発明において、前記通信部は、前記受信側装置が受信可否状態か否かを認識するサーバから受信側装置が受信可能状態となっている旨を受信したことをトリガとして、前記前記条件付送信を前記受信側装置に向けて送信することとした。
【００１７】
この構成によれば、通信部は、サーバから、受信側装置から受信可能状態となっている旨を受信したことをトリガとして、条件付送信を受信側装置に向けて送信する。通信ネットワークに含まれるサーバには、受信側装置から受信可否を把握するものがある。これにより、通信部がサーバに問い合わせ、受信側装置が受信可能状態であることを確認できたことをトリガとして、条件付送信が本来の送信先（受信側装置）に対して行われる。従って、無駄なリダイヤル（通信）を防ぎつつ、データ不達のまま終わることを防ぎ、相手方に対し、確実にデータを送信することができる。
【００１８】
又、請求項４に係る発明は、請求項１乃至３の発明において、前記通信部は、前記代行受信先への前記条件付送信の送信が失敗してから、前記条件がないときの待ち時間以上の予め定められた待ち時間の経過後、前記受信側装置に向け前記条件付送信のリダイヤルを行うこととした。
【００１９】
この構成によれば、通信部は、予め定められた待ち時間の経過後、受信側装置に向け条件付送信のリダイヤルを行う。これにより、リダイヤルしても無駄な代行受信先ではなく、受信側装置に向けてリダイヤルが行われ、受信側装置へのデータ到達の確率を高めることができる。又、直前の送信失敗からリダイヤルするまでの間隔が長くなるほど、受信側装置が受信可能な状態に復帰する確率は高くなるところ、通信部は、予め定められた待ち時間待ってからリダイヤルするので、更に、受信側装置へのデータ到達の確率を高めることができる。
【００２０】
又、請求項５に係る発明は、請求項１乃至３の発明において、前記通信部は、前記代行受信先への前記条件付送信の送信が失敗したとき、前記条件を外して前記代行受信先に送信を行うこととした。
【００２１】
この構成によれば、通信部は、代行受信先への条件付送信の送信が失敗したとき、受信条件を外して代行受信先に送信を行う。これにより、受信条件を外すことで、通常のファクシミリ送信と同様にすることで、代行受信先でデータを受信させることもできる。従って、確実にデータを相手方に到達させることができる。
【００２２】
又、請求項６に係る発明は、請求項１乃至５の発明において、少なくともメッセージを報知する報知部、を含み、前記報知部は、前記受信側装置及び／又は前記代行受信先への前記条件付送信のリダイヤルを予め定められた回数行っても前記条件付送信が全て失敗したとき、前記条件付送信が完了していない旨のエラーメッセージを報知することとした。
【００２３】
この構成によれば、報知部は、受信側装置及び／又は代行受信先への条件付送信のリダイヤルを予め定められた回数行っても条件付送信が全て失敗したとき、条件付送信が完了していない旨のエラーメッセージを報知する。これにより、最終的に受信側装置へのデータ送信に失敗しても、使用者にその旨を報知することができる。従って、データ未達であることを使用者に対し注意を喚起し、送信のやり直しを促し、データ到達の確率を高めることができる。
【００２４】
又、請求項７に係る発明は、請求項１乃至６の発明において、用紙に画像を形成する画像形成部、を含み、前記画像形成部は、前記受信側装置及び／又は前記代行受信先への前記条件付送信のリダイヤルを予め定められた回数行っても前記条件付送信が全て失敗したとき、前記条件付送信が完了していない旨のエラーメッセージを含む画像を形成することとした。
【００２５】
この構成によれば、画像形成部は、受信側装置及び／又は代行受信先への条件付送信のリダイヤルを予め定められた回数行っても条件付送信が全て失敗したとき、条件付送信が完了していない旨のエラーメッセージを含む画像を形成する。これにより、最終的に受信側装置へのデータ送信に失敗しても、印刷物（文書）として使用者にその旨を報知することができる。従って、印刷物によりデータ未達であることを使用者に知らせ、送信のやり直しを促し、データ到達の確率を高めることができる。
【００２６】
又、請求項８に係る発明は、請求項１乃至７の発明において、前記条件付送信は、Ｆコード送信、及び／又は、暗号送信であることとした。
【００２７】
この構成によれば、条件付送信は、Ｆコード送信、及び／又は、暗号通信である。これらの機能を用いる場合、送信側のファクシミリ送信でなされた設定にあわせ、受信側装置でも条件に沿った設定がなされなければ、送信側ファクシミリ装置は政治用に送信を行えない。尚、好適例の一つである。
【発明の効果】
【００２８】
上述したように、本発明によれば、必ずエラーになる無駄な通信を代行受信先に行わないファクシミリ装置を提供することができる。又、受信側装置が受信不可状態となり、ファクシミリの送信に失敗しても、データ不達のまま終わることが防がれ、確実にデータを送信できるファクシミリ送信を提供することができる。
【図面の簡単な説明】
【００２９】
【図１】第１の実施形態に係る通信システムの概要を示す説明図である。
【図２】第１の実施形態に係る各複合機の一例を示す模型的正面断面図である。
【図３】第１の実施形態に係る各複合機のハードウェア構成の一例を示すブロック図である。
【図４】第１の実施形態に係る機能選択画面の一例を示す説明図である。
【図５】第１の実施形態に係るボックス選択画面の一例を示す説明図である。
【図６】第１の実施形態に係る親展ボックス選択画面の一例を示す説明図である。
【図７】第１の実施形態に係る親展ボックス設定画面の一例を示す説明図である。
【図８】第１の実施形態に係るＦコード送信設定画面の一例を示す説明図である。
【図９】第１の実施形態に係る暗号鍵登録画面の一例を示す説明図である。
【図１０】第１の実施形態に係る複暗号ボックス選択画面の一例を示す説明図である。
【図１１】第１の実施形態に係る暗号ボックス設定画面の一例を示す説明図である。
【図１２】第１の実施形態に係る暗号送信設定画面の一例を示す説明図である。
【図１３】第１の実施形態に係る送信側複合機でのファクシミリ送信の制御の流れの一例を示すフローチャートである。
【図１４】第２の実施形態に係る送信側複合機でのファクシミリ送信の制御の流れの一例を示すフローチャートである。
【図１５】第３の実施形態に係る送信側複合機でのファクシミリ送信の制御の流れの一例を示すフローチャートである。
【発明を実施するための形態】
【００３０】
以下、本発明の第１の実施形態を図１〜図１３を用いて説明する。ここで、本説明では、本発明に係るファクシミリ装置として、送信側、受信側、代行受信を行うファクシミリ送信機能を備えた複合機１を例に挙げて説明する。但し、本実施の形態に記載される構成、配置等の各要素は、発明の範囲を限定するものではなく単なる説明例にすぎない。
【００３１】
（通信システム１００の概要）
まず、図１を用いて、本発明の第１の実施形態に係る通信システム１００の概要を説明する。図１は、本発明の第１の実施形態に係る通信システム１００の概要を示す説明図である。
【００３２】
本実施形態の通信システム１００は、ＦＡＸ機能を有する複合機１を複数含む。以下の説明では、ファクシミリ送信を行うファクシミリ装置を「送信側複合機１Ｔ」と、ファクシミリデータを受信するファクシミリ装置を「受信側複合機１Ｒ」と、受信側複合機１Ｒ（受信側装置に相当）が受信不可状態のとき代行受信を行うファクシミリ装置を「代行複合機１Ａ」と、便宜上区別して説明する。
【００３３】
尚、ファクシミリ装置は、互いに送受信を行うものなので、送信側複合機１Ｔは、受信側複合機１Ｒ、代行複合機１Ａ（代行受信先に相当）になり得る。又、受信側複合機１Ｒは、送信側複合機１Ｔ、代行複合機１Ａとなり得る。又、代行複合機１Ａは、受信側複合機１Ｒ、送信側複合機１Ｔとなり得る。そのため、例えば、３台の複合機１は、同様の機能を有するものでもよい。そこで、本説明では、通信システム１００における各複合機１には、同機種を用いるものとして説明する。尚、送信側複合機１Ｔ、受信側複合機１Ｒ、代行複合機１Ａのいずれか、又は、全てに変えて、ＦＡＸ専用機が用いられてもよい。又、便宜上、図１では、通信システム１００が複合機１を３台含む例を示すが、４台以上の複合機１やファクシミリ装置を含んでもよい。尚、本説明では、送信、受信、代行のファクシミリ装置として、同様の複合機１を例に挙げて説明するので、送信側、受信側、代行の各複合機１に共通する説明については、「送信側」、「受信側」、「代行」の語句を省略し、単に「複合機１」と称することがある。
【００３４】
各複合機１は、それぞれ、ファクシミリ送受信機能の他、コピー機能、スキャン機能、プリンタ機能を有する。そして、例えば、送信側複合機１Ｔ、受信側複合機１Ｒ、代行複合機１Ａは、ITU-Tの勧告の１つであるT.38の規格に基づいたファクシミリ通信を行う。尚、みなし音声方式等、他の規格に基づいて、本実施形態の送信側複合機１Ｔ、受信側複合機１Ｒ、代行複合機１Ａはファクシミリ通信が行われてもよい。
【００３５】
例えば、各複合機１（１Ｔ、１Ｒ、１Ａ）は、ネットワークＮＴ（例えば、インターネット）に接続され、ネットワークＮＴを介して各複合機１間でファクシミリ通信が行われてもよい。又、例えば、送信側複合機１Ｔが、受信側複合機１Ｒや代行複合機１Ａに直接的に呼びかけ（発呼）を行い、ファクシミリ通信が行われてもよい。
【００３６】
又、各複合機（１Ｔ、１Ｒ、１Ａ）が、直接的にサーバＳＶにアクセスし、ファクシミリ通信を中継させてもよい。又、ゲートウェイＧＷを通過させたうえで、送信側複合機１Ｔから受信側複合機１Ｒや代行複合機１Ａに向けてファクシミリ送信が行われてもよい。又、ゲートウェイＧＷを通過させてファクシミリ送信を行う場合、１又は複数のサーバＳＶにファクシミリ通信を中継させてもよい。又、各複合機１が、直接的に各サーバＳＶにアクセスし、ファクシミリ通信を中継させてもよい
【００３７】
（複合機１の概要）
次に、図２に基づき、本発明の第１の実施形態に係る各複合機１を説明する。図２は本発明の第１の実施形態に係る各複合機１の一例を示す模型的正面断面図である。
【００３８】
図２に示すように、本実施形態の複合機１（送信側複合機１Ｔ、受信側複合機１Ｒ、代行複合機１Ａ）は、最上部に原稿カバー１ａを有し、操作パネル２、画像読取部３、給紙部４ａ、搬送路４ｂ、画像形成部５、定着部６ａ、排出搬送部６ｂ等が設けられる。
【００３９】
操作パネル２は、図２に示すように、各複合機１の正面上方に設けられ、各複合機１の設定や動作指示を与えるためのメニューやキーや複合機１の状態メッセージ等の各種画像、画面を表示する液晶表示部２１（報知部に相当）を有する。使用者は、液晶表示部２１に表示されたキーを押下し、各複合機１の機能の各種設定を入力できる。
【００４０】
又、液晶表示部２１の上面にタッチパネル部２２（入力部に相当）が設けられる。タッチパネル部２２は、使用者が液晶表示部２１に押下した部分の位置、座標を検出するためのものである。このタッチパネル部２２を用いた検出座標と、液晶表示部２１に示される各種キーの位置、座標を比較し、使用者が押下して選択したキーが特定される。尚、タッチパネル部２２としては、抵抗膜方式、表面弾性波方式、赤外線方式、静電容量方式等、各方式のものを採用でき特に制限はない。
【００４１】
又、操作パネル２には、以下のようなハードとしてのキー（ボタン）が設けられる。例えば、数字入力用のテンキー部２３（入力部に相当）や、各種設定後、コピーや送信の処理開始指示用のスタートキー２４が設けられる。又、その他、ハードキーとして、コピー機能を利用する際に押下されるコピーキー２５、スキャナ機能、ＦＡＸ機能を利用する際に押下される送信キー２６、ボックス機能（詳細は後述）を用いた通信を行う場合等に押されるボックスキー２７等が設けられる。このように、操作パネル２には各種ハードキーが備えられ、各種ハードキーは各複合機１の設定等を行うための入力部として機能する。
【００４２】
まず、原稿カバー１ａは、複合機１の上面かつ背面位置に支点を有し、上下に振るように開閉可能である。原稿カバー１ａは、原稿の複写時、載置読取用コンタクトガラス３１に載置された原稿を押さえる。画像読取部３は、原稿を読み取り、原稿の画像データを形成する。又、画像読取部３内には露光ランプ、ミラー、レンズ、イメージセンサ（例えば、ＣＣＤ）等の光学系部材（不図示）が設けられる。尚、原稿カバー１ａに変えて、原稿を１枚ずつ、自動的、連続的に、画像読取部３の読み取り位置（送り読取用コンタクトガラス３２）に向けて送る原稿搬送装置を設けてもよい。
【００４３】
そして、これらの光学系部材を用い、載置読取用コンタクトガラス３１に載置される原稿に光を照射し、その原稿の反射光を受けたイメージセンサの各画素の出力値をＡ／Ｄ変換し、画像データが生成される。各複合機１は、読み取りにより得られた画像データに基づき印刷を行うことができる（コピー機能）。又、各複合機１は、読み取りにより得られた画像データに基づきファクシミリ送信を行うことができる（ファクシミリ機能、インターネットファクシミリ機能）。
【００４４】
給紙部４ａは、複数の用紙（例えば、コピー用紙、再生紙、ＯＨＰシート等の各種シート）を収容し、１枚ずつ搬送路４ｂに送り込む。給紙部４ａは、収納用紙が載置されるカセット４１を含む（図２で上方のものに４１Ａ、下方のものに４１Ｂの符号を付す）。又、カセット４１から搬送路４ｂに送り出すため回転駆動する給紙ローラ４２が設けられる（図２で上方のものに４２Ａ、下方のものに４２Ｂの符号を付す）。例えば、印刷時、給紙ローラ４２が回転駆動し、印刷に要する用紙が１枚ずつ搬送路４ｂに送り出される。
【００４５】
搬送路４ｂは、給紙部４ａから排出トレイ４３まで用紙を搬送する通路である。尚、搬送経路上には画像形成部５、定着部６ａ等が配される。そして、搬送路４ｂには、用紙の案内のためのガイドや、用紙搬送の際に回転駆動する搬送ローラ対４４や、搬送されてくる用紙を画像形成部５の手前で待機させ、トナー像形成のタイミングを合わせて用紙を送り出すレジストローラ対４５等が設けられる。
【００４６】
画像形成部５は、画像データに基づきトナー像を形成し、搬送される用紙にトナー像を転写する。そのため、画像形成部５は、図２中に示す矢印方向に回転駆動可能に支持された感光体ドラム５１、及び、感光体ドラム５１の周囲に配設された帯電装置５２、露光装置５３、現像装置５４、転写ローラ５５、清掃装置５６等を備える。
【００４７】
トナー像形成及び転写プロセスを説明すると、画像形成部５の略中心に設けられ、所定方向に回転駆動する感光体ドラム５１は、図２において、感光体ドラム５１の右斜め上方に設けられる帯電装置５２により、所定電位に帯電される。図４において、露光装置５３は、帯電装置５２の右側方に設けられ、画像データに基づき、レーザ光をから出力し、感光体ドラム５１表面を走査露光して画像データに応じた静電潜像を形成する。尚、画像データは、画像読取部３で得られた画像データや、ネットワークＮＴ等により接続される送信側複合機１Ｔや外部のコンピュータ２００から送信された画像データ等が用いられる。
【００４８】
そして、図２において、感光体ドラム５１の右斜め下方に設けられる現像装置５４は、感光体ドラム５１に形成された静電潜像にトナーを供給して現像する。感光体ドラム５１の左方に設けられる転写ローラ５５は感光体ドラム５１に圧接し、ニップが形成される。そして、トナー像にあわせタイミングを図られつつ、用紙はニップに進入する。用紙進入時、転写ローラ５５には所定の電圧が印加され、用紙に感光体ドラム５１上のトナー像が転写される。清掃装置５６は、転写後に感光体ドラム５１に残留するトナーを除去する。
【００４９】
定着部６ａは、用紙に転写されたトナー像を定着させる。本実施形態における定着部６ａは主として発熱体を内蔵する加熱ローラ６１と加圧ローラ６２で構成される。加熱ローラ６１と加圧ローラ６２は圧接しニップを形成する。そして、用紙が、このニップを通過することで、用紙表面のトナーが溶融・加熱され、トナー像が用紙に定着する。トナー定着後の用紙は、排出トレイ４３に排出される。このようにして、コピー機能、プリンタ機能の使用時、画像形成（印刷）が行われる。
【００５０】
排出搬送部６ｂは、印刷済の用紙を排出トレイ４３方向に用紙を搬送する。そして、排出搬送部６ｂは、正回転方向に回転駆動して排出トレイ４３方向に送り出す排出ローラ対６３を有する。尚、排出ローラ対６３は、両面印刷のため、逆回転してもよい（スイッチバック）。
【００５１】
（複合機１のハードウェア構成）
次に、図３を用いて、本発明の第１の実施形態に係る各複合機１のハードウェア構成の一例を説明する。図３は、本発明の第１の実施形態に係る各複合機１のハードウェア構成の一例を示すブロック図である。
【００５２】
まず、各複合機１の本体内には、制御部７が設けられる。制御部７は、例えば、操作パネル２、画像読取部３、給紙部４ａ、搬送路４ｂ、画像形成部５、定着部６ａ、排出搬送部６ｂ等と接続され、これらの制御を行う。
【００５３】
制御部７は、例えば、ＣＰＵ７１等の素子を含む。ＣＰＵ７１は記憶部８に格納され、展開される制御プログラムに基づき演算等を行い、複合機１の各部を制御する。尚、制御部７は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を制御部７としてまとめた形態を示し、説明する。
【００５４】
記憶部８は、制御部７と接続される。記憶部８は、ＲＯＭ、ＲＡＭ、ＨＤＤ等の不揮発性と揮発性の記憶用の装置を組み合わせて構成される。記憶部８は、複合機１の制御用プログラム、制御用データ、設定データ、画像データ等の各種データを記憶できる。本発明に関し、記憶部８（のＨＤＤ）は、ファクシミリ送信用の画像データ等を記憶する。
【００５５】
そして、制御部７は、通信部９と接続される。通信部９は、通信用のインターフェイスであり、コネクタ、ソケット、通信用回路、通信用チップ等を含む。通信部９はネットワークＮＴ、サーバＳＶ、ゲートウェイＧＷや公衆回線（電話回線）を介して、受信側複合機１Ｒや代行複合機１Ａ（図７では、いずれも便宜上１つのみ図示）とファクシミリ通信を行う（図１参照）。例えば、画像読取部３で得られた画像データを相手方ＦＡＸ装置（例えば、受信側複合機１Ｒ）に送信することができる（ＦＡＸ、インターネットＦＡＸ機能）。又、相手方ＦＡＸ装置から送信され、複合機１に入力される画像データに基づき印刷を行うこともできる（ＦＡＸ機能）。
【００５６】
具体的に、通信部９は、公衆回線（電話回線）を通じて、ＦＡＸ装置と画像データ等の送受信を行うことができる。そのため、通信部９は、例えば、電話回線用のコネクタやＦＡＸモデム等を含む。又、複合機１は、ネットワークＮＴを介しても、他の複合機１やファクシミリ装置３００と通信可能に接続される。複合機１は、他の複合機１やファクシミリ装置３００と、ネットワークＮＴを介して画像データ等の送受信を行える（インターネットＦＡＸ機能と呼ばれることもある）。そのため、通信部９は、ネットワークＮＴ接続や通信のためのチップ、ドライバ、メモリ等の素子も有する。
【００５７】
又、通信部９は、ネットワークＮＴやケーブルにより、外部のコンピュータ２００（例えば、パーソナルコンピュータ）と通信可能に接続される。例えば、画像読取部３で得られた画像データをコンピュータ２００に送信することができる（スキャナ機能）。又、複合機１は、外部のコンピュータ２００から受信した印刷用データに基づき、印刷することもできる（プリンタ機能）。
【００５８】
又、制御部７は、操作パネル２になされた入力を認識し、使用者の設定にあわせてコピー等が行われるように複合機１を制御する。制御部７は、操作パネル２での表示を制御する。操作パネル２の液晶表示部２１に表示するために必要な画像、画面の画像データは、記憶部８や操作パネル２内のメモリに記憶される。
【００５９】
又、例えば、制御部７には、画像読取部３で原稿を読み取って得られた画像データや通信部９を介して複合機１に入力された画像データに対し、画像処理を施す画像処理部７２が設けられる。例えば、画像処理部７２は、回転、拡大／縮小、濃度変換、エッジ強調、平滑化や、ファクシミリ送信のための画像データの形式変換処理等の各種の画像処理を行う。画像処理部７２は操作パネル２で設定された機能に応じて動作する。
【００６０】
そして、画像処理部７２が処理した画像データは、例えば、通信部９に送られ、ファクシミリ送信等に用いられ、あるいは、露光装置５３に送信され、感光体ドラム５１の走査・露光に用いられる。尚、画像処理部７２が行える画像処理は多数に及ぶので、公知の画像処理を行えるものとし、画像処理部７２の行う画像処理の詳細は割愛する。
【００６１】
（条件付のファクシミリ送信の例）
次に、図４〜図１２を用い、本発明の第１の実施形態に係る条件付のファクシミリ送信機能の一例を説明する。具体的には、図４〜図８を用いてＦコード親展送信機能を説明し、図９から図１２を用いて、暗号送信機能を説明する。
【００６２】
［Ｆコード親展送信機能］
まず、図４〜図８を用いて、本発明の第１の実施形態に係るＦコード親展送信機能を説明する。図４は、本発明の第１の実施形態に係る機能選択画面Ｓ１の一例を示す説明図である。図５は、本発明の第１の実施形態に係るボックス選択画面Ｓ２の一例を示す説明図である。図６は、本発明の第１の実施形態に係る親展ボックス選択画面Ｓ３の一例を示す説明図である。図７は、本発明の第１の実施形態に係る親展ボックス設定画面Ｓ４の一例を示す説明図である。図８は、本発明の第１の実施形態に係るＦコード送信設定画面Ｓ５の一例を示す説明図である。
【００６３】
親展送信を用いると、機密文書など他人に見られたくない画像データを、誰にも見られず受信することができる。受信側複合機１Ｒで受信された画像データは、一定の認証的な入力がなされないと印刷されない。
【００６４】
そして、本実施形態における各複合機１は、記憶部８を有する。そして、記憶部８の記憶領域内に、仮想のボックスが作られる。言い換えると、Ｆコード親展送信機能は、ファクシミリ通信で親展性を持たせるため、特殊な条件を定めるものであり、Ｆコード親展により送信されたファクシミリのデータを受信するには、受信側複合機１Ｒの記憶部８にＦコード親展ボックスを設ける必要がある。
【００６５】
そこで、図４〜図７を用いて、Ｆコード親展送信に要する受信側複合機１Ｒでの設定の一例を説明する。例えば、使用者がボックスキー２７を押すと、制御部７は、操作パネル２の液晶表示部２１に図４に示すような機能選択画面Ｓ１を表示させる。Ｆコード親展送信に関して設定を行うには、複数表示されるキーのうち、ボックスキーＫ１を押す。ボックスキーＫ１が押されると、液晶表示部２１は、図５に示すような、ボックス選択画面Ｓ２を表示する。
【００６６】
Ｆコード親展ボックスの登録、設定変更、削除等の設定を行うには、ボックス選択画面Ｓ２に表示されたキーのうち、左列のＦコード親展ボックスキーＫ２を押す必要がある。Ｆコード親展ボックスキーＫ２が押されると、液晶表示部２１は、図６に示すような親展ボックス選択画面Ｓ３を表示する。
【００６７】
親展ボックス選択画面Ｓ３には、記憶部８に仮想的に作られた親展ボックスに対応するキーが表示される。そして、既に設定や登録がなされている親展ボックスに対応するキーには、親展ボックスのサブアドレスが表示される。図６では、番号００１の親展ボックスに対応するサブアドレスは、「１２３４」である。尚、本実施形態の受信側複合機１Ｒでは、親展ボックスを数十〜数百個作成することができる。
【００６８】
使用者は、受信側複合機１Ｒで作成や、設定し直したい番号の親展ボックスに対応するキーを押して選択する。選択がなされると、液晶表示部２１は、例えば、図７に示すような親展ボックス設定画面Ｓ４を表示する。例えば、図７は、番号００５の親展ボックスに対応するキーが押されると表示される親展ボックス設定画面Ｓ４の一例である。
【００６９】
親展ボックス設定画面Ｓ４には、サブアドレスキーＫ３とパスワードキーＫ４が設けられる。サブアドレスは、送信側複合機１Ｔで、受信側複合機１Ｒのどの親展ボックスに格納するかを指定するために必要なアドレスである。使用者は、サブアドレスを入力するとき、サブアドレスキーＫ３を押した後、テンキー部２３を用いて最大２０桁までの０〜９までの数字と＊と＃を用いてサブアドレスを入力する。
【００７０】
パスワードは、送信側複合機１Ｔと受信側複合機１ＲでＦコード通信を成立させるために必要である。パスワードを入力するとき、使用者はパスワードキーＫ４を押した後、テンキー部２３を用いて、例えば、４桁の０〜９までの数字をパスワードとして入力する。そして、サブアドレスとパスワードの入力が完了すると、確定キーＫ５が押される。確定キーＫ５が押されると、制御部７は、記憶部８（操作パネル２内のメモリでもよい）に入力されたサブアドレスとパスワードを記憶させる。Ｆコード親展送信を正常に行うには、このサブアドレスとパスワードの設定が受信側複合機１Ｒでなされることが必要である。
【００７１】
次に、図８を用いて、Ｆコード親展送信機能を用いた送信の一例を説明する。送信側複合機１Ｔで、Ｆコード親展送信機能を用いて、受信側複合機１Ｒにファクシミリ送信を行うには、図８に示すようなＦコード送信設定画面Ｓ５に対し、サブアドレスとパスワードの入力が必要である。
【００７２】
使用者は、操作パネル２に対し、アドレス帳等を用いて、相手方のアドレス情報（ＦＡＸ番号やネットワークＮＴアドレスやＥメールアドレス）を入力するとともに、Ｆコード親展送信を行うため、図８に示すＦコード送信設定画面Ｓ５にサブアドレスとパスワードを入力する必要がある。サブアドレスとパスワードは、親展ボックスの登録の場合と同様に、サブアドレスキーＫ６とパスワードキーＫ７をそれぞれ押した後、テンキー部２３を用いて入力する。使用者は、サブアドレスとパスワードの入力が完了すると、閉じるキーＫ８を押す。
【００７３】
制御部７は、操作パネル２から入力されたサブアドレスとパスワードを受けとる。そして、制御部７は、Ｆコード親展送信機能に基づいて、サブアドレスとパスワードが付されたデータ（画像データ）を通信部９から受信側複合機１Ｒにファクシミリ送信させる。
【００７４】
もし、受信側複合機１Ｒに、受信したサブアドレスとパスワードに一致する親展ボックスがあれば、受信側複合機１Ｒの制御部７は、一致した親展ボックスに受信した画像データを格納する。一方、受信したサブアドレスとパスワードに一致する親展ボックスがなければ、受信側複合機１Ｒ（の制御部７）は、Ｆコード親展送信は成立せず受信不可の旨を送信側複合機１Ｔにむけて返信する。
【００７５】
尚、親展ボックスに格納された画像データに基づき印刷を行うとき、図５に示したボックス選択画面Ｓ２でＦコード親展ボックス出力キーＫ９を押す。そうすると、図６に示した親展ボックス選択画面Ｓ３と同様の画面が表示される。そして、使用者は、画像データが格納された親展ボックスに対応するキーを押す。そうすると、パスワードの入力用の画面（不図示）が表示される。そして、正当なパスワードが入力されると、受信側複合機１Ｒの制御部７は、親展ボックスに格納された画像データに基づき、画像形成部５等を制御して印刷を行わせる。尚、正当なパスワードが入力されないとき、印刷は行えない。
【００７６】
［暗号送信機能］
次に、図４、図５、図９〜図１２を用いて、本発明の第１の実施形態に係る暗号送信機能を説明する。図９は、本発明の第１の実施形態に係る複合機１での暗号鍵登録画面Ｓ６の一例を示す説明図である。図１０は、本発明の第１の実施形態に係る暗号ボックス選択画面Ｓ７の一例を示す説明図である。図１１は、本発明の第１の実施形態に係る暗号ボックス設定画面Ｓ８の一例を示す説明図である。図１２は、本発明の第１の実施形態に係る暗号送信設定画面Ｓ９の一例を示す説明図である。
【００７７】
暗号送信は、第三者に知られてはいけない内容（画像データ）を送信する場合に有効である。例えば、悪意の者が、送信側複合機１Ｔから受信側複合機１Ｒへの通信経路を流れる画像データを盗み見しても、内容を知ることができない。
【００７８】
そして、本実施形態における各複合機１では、暗号送信の場合にも、記憶部８の記憶領域内に、仮想のボックスを作る必要がある。言い換えると、暗号送信機能は、ファクシミリ通信で暗号性を持たせるために特殊な条件を定めるものであり、ファクシミリの暗号化したデータの送受信を行うには、暗号鍵の登録と受信側複合機１Ｒの記憶部８に暗号ボックスを設ける必要がある。
【００７９】
そこで、図９を用いて暗号鍵の登録を説明する。例えば、送信側複合機１Ｔや受信側複合機１Ｒでボックスキー２７が押されると表示される機能選択画面Ｓ１には、暗号鍵キーＫ１０が表示される。そして、暗号鍵キーＫ１０が押されると、液晶表示部２１は、図９に示すような暗号鍵登録画面Ｓ６を表示する。
【００８０】
暗号鍵登録画面Ｓ６には、番号ごとに暗号鍵に対応するキーが表示される。そして、既に設定や登録がなされている暗号鍵に対応するキーには、暗号鍵が表示される。図９では、番号０１のキーに対応する暗号鍵は、「１２３４５６７８９０１２３４５６」である。新たな暗号鍵を登録する場合は空白のキーを、既に登録されている暗号鍵を修正する場合は、暗号鍵が登録済みのキーを押す。
【００８１】
そして、テンキー部２３を用いて暗号鍵（例えば、１６桁）を入力する。尚、暗号鍵入力用のソフトウェアキーボード画面を表示し、数字だけでなくアルファベット等の文字を含めた暗号鍵を入力できるようにしてもよい。本実施形態の受信側複合機１Ｒでは、暗号鍵を例えば、十数個〜数十個作成、登録することができる。本実施形態の各複合機１で暗号送信を行うには、送信側複合機１Ｔと受信側複合機１Ｒの両方で少なくとも１種類の共通の暗号鍵を登録しておく必要がある。
【００８２】
次に、暗号ボックスの登録を説明する。暗号ボックスの登録、設定変更、削除等の設定を行うには、受信側複合機１Ｒのボックスキー２７を押すと表示される機能選択画面Ｓ１（図４参照）で、ボックスキーＫ１を押し、ボックス選択画面Ｓ２（図５参照）を表示させる。そして、ボックス選択画面Ｓ２に表示されたキーのうち、左列の暗号ボックスキーＫ１１を押す。暗号ボックスキーＫ１１が押されると、液晶表示部２１は、図１０に示すような暗号ボックス選択画面Ｓ７を表示する。
【００８３】
暗号ボックス選択画面Ｓ７には、記憶部８に仮想的に作られた暗号ボックスに対応するキーが表示される。そして、既に設定や登録がなされている暗号ボックスに対応するキーには、暗号ボックスのボックスＩＤが表示される。図６では、番号００１の暗号ボックスに対応するボックスＩＤは、「９８７６」である。尚、本実施形態の複合機１では、暗号ボックスを数十〜数百個作成することができる。
【００８４】
受信側複合機１Ｒで作成や、設定し直したい番号の暗号ボックスに対応するキーが押される。押されると、液晶表示部２１は、例えば、図１１に示すような暗号ボックス設定画面Ｓ８を表示する。例えば、図１１は、番号００５のキーが押されたときに表示される暗号ボックス設定画面Ｓ８の一例である。
【００８５】
暗号ボックス設定画面Ｓ８には、ボックスＩＤキーＫ１２と暗号鍵番号キーＫ１３が設けられる。ボックスＩＤは、送信側複合機１Ｔで、受信側複合機１Ｒのどの暗号ボックスに格納するかを指定するために必要なＩＤ番号である。使用者は、ボックスＩＤを入力するとき、ボックスＩＤキーＫ１２を押した後、テンキー部２３を用いて最大４桁までの０〜９までの数字と＊と＃を用いてボックスＩＤを入力する。
【００８６】
暗号鍵番号は、暗号ボックスでどの暗号鍵を用いるかを定めるために必要である。暗号鍵番号を入力するとき、使用者は、暗号鍵番号キーＫ１３を押した後、テンキー部２３を用いて、例えば、２桁の数字を暗号鍵番号として入力する。例えば、暗号鍵登録画面Ｓ６での「＃０１」の番号の暗号鍵を用いるとき、暗号鍵番号として「０１」が入力（指定）される。そして、ボックスＩＤと暗号鍵番号の入力が完了すると、確定キーＫ１４が押される。確定キーＫ１４が押されると、制御部７は、記憶部８（操作パネル２内のメモリでもよい）に入力されたボックスＩＤと暗号鍵番号を記憶させる。暗号送信では、このボックスＩＤと暗号鍵番号の設定が受信側複合機１Ｒでなされることが必要である
【００８７】
次に、図１２を用いて、暗号送信機能を用いた送信の一例を説明する。送信側複合機１Ｔで、暗号送信機能を用いて、受信側複合機１Ｒにファクシミリ送信を行うには、図１２に示すような暗号送信設定画面Ｓ９に対し、ボックスＩＤと暗号鍵番号の入力が必要である。
【００８８】
使用者は、テンキー部２３やアドレス帳等を用いて操作パネル２に入力し、相手方のアドレス情報（ＦＡＸ番号やネットワークＮＴアドレスやＥメールアドレス）を入力するとともに、図８に示す暗号送信設定画面Ｓ９にボックスＩＤと暗号鍵番号を入力する。ボックスＩＤと暗号鍵番号は、暗号ボックスの登録の場合と同様に、ボックスＩＤキーＫ１５と暗号鍵番号キーＫ１６をそれぞれ押した後、テンキー部２３を用いて入力する。使用者は、ボックスＩＤと暗号鍵番号の入力が完了すると確定キーＫ１７を押す。
【００８９】
制御部７は、操作パネル２から入力されたボックスＩＤと暗号鍵番号を受けとる。そして、制御部７は、暗号送信機能に基づいて、ボックスＩＤと暗号鍵番号を付しつつ、指定された暗号鍵に基づいて暗号化処理を行った後のデータ（画像データ）を、通信部９から受信側複合機１Ｒに向けてファクシミリ送信させる。
【００９０】
もし、受信したボックスＩＤと暗号鍵番号に一致する暗号ボックスがあれば、受信側複合機１Ｒの制御部７は、一致した暗号ボックスに受信した画像データを復号しつつ格納する。一方、受信側複合機１Ｒ側に、受信したボックスＩＤ及び暗号鍵番号に一致する暗号ボックスがなければ、暗号送信は成立せず、受信側複合機１Ｒは、送信側複合機１Ｔにむけて受信不可の旨を返信する。
【００９１】
尚、暗号ボックスに格納された画像データに基づき印刷を行う場合、図５に示したボックス選択画面Ｓ２で暗号ボックス出力キーＫ１８を押す。そうすると、図６に示した暗号ボックス選択画面Ｓ７と同様の画面が表示される。そして、使用者は、画像データが格納された暗号ボックスに対応するキーを押す。そうすると、暗号鍵番号の入力用の画面（不図示）が表示される。そして、暗号ボックスに対応する正当な暗号鍵番号が入力されると、受信側複合機１Ｒの制御部７は、暗号ボックスに格納された画像データに基づき、画像形成部５等を制御して印刷を行わせる。尚、正当な暗号鍵番号が入力されないとき、印刷は行われない。
【００９２】
（通信シーケンス・受信不可状態）
次に、図１を用い、本発明の第１の実施形態に係る複合機１での通信シーケンスの概要を説明する。
【００９３】
ここで、本発明の実施形態の通信システム１００での各ファクシミリ装置（各複合機１）は、例えば、ＳＩＰ（Session Initiation Protocol）の通信プロトコルに基づいてセッションの確立（発呼、着呼処理）を行う。ＳＩＰは、ＩＥＴＥ（Internet Engineering Task Force）のＲＦＣ（Request for Comments）３２６１などで定義されている。例えば、ＳＩＰはＩＰ電話やインターネットＦＡＸ機能を有するファクシミリ装置に実装される。
【００９４】
ＳＩＰでは、受信側複合機１ＲがサーバＳＶとして振る舞い、送信側複合機１Ｔと受信側複合機１Ｒで直接的に通信を行うことができる。又、ＳＩＰでは、ネットワークでのサーバＳＶ（プロキシ）やゲートウェイＧＷを用いて、送信側複合機１Ｔが宛先として指定されたアドレスに対応する特定アドレスをサーバＳＶ等に検索させ、受信側複合機１Ｒとのファクシミリ通信をサーバＳＶ等に中継させることもできる。
【００９５】
［受信側複合機１Ｒが受信可能状態であるときの通信シーケンス］
受信側複合機１Ｒが受信可能状態である時の通信シーケンスの一例を説明する。この場合、送信側複合機１Ｔは、受信側複合機１Ｒのアドレス（アドレス情報）にセッション参加要求（ＩＮＶＩＴＥ）を送信する。そして、受信側複合機１Ｒは、送信側複合機１Ｔに向けて暫定応答（１００ Ｔｒｙｉｎｇ）を送信する。更に、受信側複合機１Ｒは、呼び出し中であることを伝えるため、暫定応答（１８０  Ｒｉｎｇｉｎｇ）を送信側複合機１Ｔに送信する。
【００９６】
受信側複合機１Ｒの制御部７は、受信不可状態か否かを確認する。本シーケンスでは、受信側複合機１Ｒは、受信可能状態と判断する。そして、受信側複合機１Ｒは、成功（２００  ＯＫ）を送信側複合機１Ｔに送信する。これに対し、送信側複合機１Ｔは、成功（２００  ＯＫ）を元にＡＣＫ応答（セッション確立）を受信側複合機１Ｒに送信する。この後、送信側複合機１Ｔと受信側複合機１Ｒ間での画像データ等のデータの送受信が行われる。データの送受信が終われば、送信側複合機１Ｔは、セッション切断要求（ＢＹＥ）を送信する。そして、受信側複合機１Ｒは、セッション切断要求（ＢＹＥ）に対し、ＡＣＫを応答する。これにより、セッションが終了し、データの送受信が完了する。
【００９７】
［受信側複合機１Ｒが受信不可状態であるときの通信シーケンス］
次に、受信側複合機１Ｒが受信不可状態である時の通信シーケンスの一例を説明する。まず、送信側複合機１Ｔは、送信先アドレスにセッション参加要求（ＩＮＶＩＴＥ）を送信し、受信側複合機１Ｒは、暫定応答（１８０  Ｒｉｎｇｉｎｇ）を送信するまでは、受信可能状態と同様である。
【００９８】
そして、受信側複合機１Ｒの制御部７は受信不可状態か否かを確認する。本シーケンスでは、受信側複合機１Ｒは、受信不可状態と判断する。このとき、受信側複合機１Ｒは、例えば、一時的に利用不可であることを知らせる応答（４８０  Temporarily Unavailable、受信不可応答）を送信側複合機１Ｔに送信する。これにより、送信側複合機１Ｔは、受信側複合機１Ｒがデータを受信できない状態にあることを認識する。
【００９９】
例えば、受信側複合機１Ｒは、例えば、受信側複合機１Ｒの記憶部８内のＲＡＭに空きがない場合（メモリフル）や、エラーが発生している場合や、故障中である場合や、他のファクシミリ装置と通信中（話し中）の場合に受信側複合機１Ｒが現在受信不可状態である旨の応答を発する。例えば、受信側複合機１Ｒの制御部７が、現在受信不可状態であるか否かを判断する。
【０１００】
このような受信側複合機１Ｒが受信不可状態のとき、代行して受信するファクシミリ送信（本実施形態では代行複合機１Ａ）が設定されている場合がある。代行複合機１Ａに受信させれば、データの不達を避けることができる。そこで、受信不可状態であれば、受信側複合機１Ｒは、送信側複合機１Ｔに対し、代行複合機１Ａのアドレス情報（ＦＡＸ番号やネットワークＮＴアドレスやＥメールアドレス等）を送信する。
【０１０１】
あるいは、送信側複合機１Ｔと受信側複合機１Ｒの間のファクシミリ通信でサーバＳＶが介在する場合もある。サーバＳＶがリダイレクト機能を有し、受信側複合機１Ｒへのファクシミリ通信の転送先（代替先）を予め記憶していれば、サーバＳＶが送信側複合機１Ｔに対し、代行複合機１Ａのアドレス情報を送信してもよい。
【０１０２】
一般的に、代行複合機１Ａに代行受信させると、データの不達を避けることができる。しかし、受信側複合機１Ｒと代行複合機１Ａで、Ｆコード親展や暗号送信について全く同じ設定とされることは少ない。従って、上述のような、Ｆコード親展送信や暗号送信のように、送信側と受信側で特殊な設定を行って条件が設定されるような送信（条件付送信）の場合、送信側複合機１Ｔが代行複合機１Ａにファクシミリ送信を行っても、送信側複合機１Ｔは、ファクシミリ通信に失敗する可能性が高い。そのため、Ｆコード親展送信や暗号送信の場合、代行複合機１Ａへのファクシミリ送信、特に、代行複合機１Ａへの送信が一度失敗した後でのリダイヤルは、無駄である。
【０１０３】
（ファクシミリ送信の制御の流れ）
次に、図１３を用いて、本発明の第１の実施形態に係る送信側複合機１Ｔでのファクシミリ送信の制御の流れの一例を説明する。図１３は、本発明の第１の実施形態に係る送信側複合機１Ｔでのファクシミリ送信の制御の流れの一例を示すフローチャートである。
【０１０４】
図１３のスタートは、送信側複合機１Ｔが、受信側複合機１Ｒにファクシミリ送信するために発呼しようとする時点である。このときまでに、送信側複合機１Ｔでは、操作パネル２になされた入力等により、ファクシミリ送信に関する設定が既になされている。又、例えば、画像読取部３による原稿スキャンで得られた画像データや、コンピュータ２００から受信した画像データに基づき、ファクシミリ送信する画像データも用意される。
【０１０５】
そして、送信側複合機１Ｔの制御部７は、通信部９に受信側複合機１Ｒに対して発呼を行わせる（ステップ♯１）。発呼処理により、セッション確立がはかられる。例えば、送信側複合機１Ｔは、サーバＳＶに対し、受信側複合機１Ｒのアドレス情報を問い合わせ、受信側複合機１Ｒへの発呼をサーバＳＶに中継させる。
【０１０６】
そして、送信側複合機１Ｔの制御部７は、発呼に対する受信側複合機１Ｒの応答に基づき、受信側複合機１Ｒが受信不可状態であるか否かを判断する（ステップ♯２）。例えば、呼びかけた受信側複合機１Ｒから応答がない場合（タイムアウトの発生）、受信側複合機１ＲやサーバＳＶから現在受信不可な状態である旨の応答を受けた場合、受信側複合機１Ｒが他のファクシミリ装置と通信中である場合、などに、送信側複合機１Ｔの制御部７は、受信側複合機１Ｒとのセッションを確立できないと判断する。尚、受信側複合機１Ｒが受信不可状態である旨の応答は、例えば、受信側複合機１Ｒの記憶部８内のＲＡＭに空きがない場合（メモリフル）や、エラーが発生している場合や、故障中である場合に発せられる。
【０１０７】
もし、受信不可状態でなければ（ステップ♯２のＮｏ）、送信側複合機１Ｔの制御部７は、通信部９に本来の送信先である受信側複合機１Ｒに向けてファクシミリ送信を行わせる（ステップ♯３）。これにより、送信側と受信側でのファクシミリ送信が行われる。この場合、ファクシミリ送信が無事に完了するので、本制御は終了すればよい（エンド）。
【０１０８】
一方、受信不可状態であれば（ステップ♯２のＮｏ）、送信側複合機１Ｔの制御部７は、代行複合機１Ａ（代行受信先）の通知を受信したかを確認する（ステップ♯４）。言い換えると、送信側複合機１Ｔの制御部７は、代行受信先があるかを確認する（ステップ♯４）。例えば、受信側複合機１Ｒが受信不可状態のときの代行受信先がサーバＳＶ（リダイレクトサーバ）に登録されていれば、送信側複合機１Ｔの通信部９は、サーバＳＶから代行受信先の通知を受ける。又、受信側複合機１Ｒが、送信側複合機１Ｔに向けて代行受信先を通知してもよい。
【０１０９】
代行受信先がなければ（ステップ♯４のＮｏ）、送信側複合機１Ｔは、本来の送信先（本説明では、受信側複合機１Ｒ）にリダイヤル処理を行う（ステップ♯５）。リダイヤル処理では、制御部７は、送信失敗からリダイヤル用の待ち時間待った後、受信側複合機１Ｒへの発呼とファクシミリの再送信を通信部９に行わせる。
【０１１０】
リダイヤル後、送信側複合機１Ｔの制御部７は、リダイヤル送信が正常に終了したかを確認する（ステップ♯６）。もし、正常に終了すれば（ステップ♯６のＹｅｓ）、ファクシミリ送信が無事に完了したので、本制御は終了すればよい（エンド）。一方、正常に終了していなければ、送信側複合機１Ｔの制御部７は、リダイヤル回数が所定回数に到達したかを確認する（ステップ♯７）。所定回数は、送信できないのにリダイヤルを繰り返しても無駄なので、送信不可と判断するための回数である。通常、所定回数は、数回程度に設定される。
【０１１１】
所定回数のリダイヤルが行われていれば（ステップ♯７のＹｅｓ）、送信側複合機１Ｔの制御部７は、通信部９からのリダイヤルを中止させる（ステップ♯８）。更に、送信側複合機１Ｔの制御部７は、ファクシミリ送信が完了せず、データが未達である旨を液晶表示部２１に表示させるとともに、画像形成部５等に印刷させる（ステップ♯９）。そして、本制御は終了される（エンド）。リダイヤル回数が所定回数に到達していなければ（ステップ♯７のＮｏ）、ステップ♯５に戻る。
【０１１２】
即ち、ファクシミリ装置（例えば、送信側複合機１Ｔ）は、少なくともメッセージを報知する報知部（例えば、液晶表示部２１）、を含み、報知部は、受信側装置（例えば、受信側複合機１Ｒ）及び／又は代行受信先（例えば、代行複合機１Ａ）への条件付送信のリダイヤルを予め定められた回数行っても条件付送信が全て失敗したとき、条件付送信が完了していない旨のエラーメッセージを報知する。又、ファクシミリ装置（例えば、送信側複合機１Ｔ）は、用紙に画像を形成する画像形成部５、を含み、画像形成部５は、受信側装置及び／又は代行受信先への条件付送信のリダイヤルを予め定められた回数行っても条件付送信が全て失敗したとき、条件付送信が完了していない旨のエラーメッセージを含む画像を形成する。
【０１１３】
一方、代行受信先があれば（ステップ♯４のＹｅｓ）、送信側複合機１Ｔの制御部７は、ステップ♯１と同様に、通信部９に代行複合機１Ａ（代行受信先）に対する発呼を行わせる（ステップ♯１０）。そして、送信側複合機１Ｔの制御部７は、代行受信先に対するファクシミリ送信を通信部９に行わせる（ステップ♯１１）。
【０１１４】
そして、送信側複合機１Ｔの制御部７は、正常に代行受信先へのファクシミリ送信が終了したか否かを確認する（ステップ♯１２）。例えば、送信側複合機１Ｔの制御部７は、通信部９が代行複合機１Ａから正常にファクシミリ受信した旨の通知を受ければ、正常に終了したと判断する。又、例えば、送信側複合機１Ｔの制御部７は、通信部９が代行複合機１Ａからファクシミリ受信に異常がある旨や、受信できない旨の通知を受ければ、正常に終了していない（異常終了）と判断する。又、例えば、送信側複合機１Ｔの制御部７は、代行受信先へのファクシミリ送信が途中で切断したとき異常終了と判断する。
【０１１５】
もし、正常に終了していれば（ステップ♯１２のＮｏ）、ファクシミリ送信が無事に完了したので、本制御は終了すればよい（エンド）。一方、異常終了した場合（ステップ♯１２のＹｅｓ）、送信側複合機１Ｔの制御部７は、送信側と受信側との間で予め条件の設定が必要な条件付送信かを確認する（ステップ♯１３）。条件付送信は、例えば、Ｆコード送信、及び／又は、暗号送信である。
【０１１６】
条件付送信でなければ（ステップ♯１３のＮｏ）、送信側複合機１Ｔの制御部７は、通常のリダイヤル処理を行って、再度、ファクシミリ送信を代行受信先に行う（ステップ♯１４）。このとき、送信失敗から通常のリダイヤル用の待ち時間待った後、リダイヤルが行われる。そして、ステップ♯６に移行する。尚、ステップ♯１４からステップ♯６に移行した場合、代行受信先を送信先として後のリダイヤルが行われる。
【０１１７】
一方、条件付送信であれば（ステップ♯１３のＹｅｓ）、送信側複合機１Ｔの制御部７は、代行受信先へのリダイヤルを通信部９に行わせないようにする（ステップ♯１５）。即ち、ファクシミリ装置（例えば、送信側複合機１Ｔ）は、ファクシミリ通信での条件を入力するための入力部（タッチパネル部２２等）と、入力部になされた条件に従ったファクシミリ送信である条件付送信を行ったところ、本来の送信先である受信側装置（例えば、受信側複合機１Ｒ）が受信できないときに代替受信を行う代行受信先（例えば、代行複合機１Ａ）のアドレス情報の通知を受信した場合、代行受信先に対し条件付送信を行い、代行受信先への条件付送信の送信が失敗したとき、代行受信先への条件付送信のリダイヤルを行わない通信部９と、を含む。
【０１１８】
そして、送信側の複合機１は、受信側複合機１Ｒが受信可能状態に復帰したか否かを確認する（ステップ♯１６）。例えば、受信側複合機１Ｒに対し、受信側複合機１Ｒが受信不可か、受信可能かを管理、把握するプレゼンス機能を有するサーバＳＶ（プレゼンスサーバＳＶ）が設けられていれば、送信側複合機１Ｔの通信部９がサーバＳＶから受信可能状態に復帰した旨の通知を受けると、送信側複合機１Ｔの制御部７は、受信可能状態に復帰したと判断してもよい。又、受信側複合機１Ｒが、送信側複合機１Ｔに向けて代行受信先を受信可能状態に復帰した旨の通知をしてもよい。即ち、通信部９は、受信側装置（例えば、受信側複合機１Ｒ）が受信可能状態となっている旨を受信したことをトリガとして、条件付送信を受信側装置に向けて送信する。又、通信部９は、受信側装置が受信可否状態か否かを認識するサーバＳＶから受信側装置が受信可能状態となっている旨を受信したことをトリガとして、条件付送信を受信側装置に向けて送信する。
【０１１９】
受信可能状態への復帰を確認できたとき（ステップ♯１６のＹｅｓ）、送信側複合機１Ｔの制御部７は、もともとの（本来の）宛先（本説明では、受信側複合機１Ｒ）に向けて、ファクシミリ送信のリダイヤルを行う（ステップ♯１７）。これにより、ファクシミリ送信は無事に完了するので、本制御は終了すればよい（エンド）。一方、受信可能状態への復帰を確認できなかったとき（ステップ♯１６のＮｏ）、送信側複合機１Ｔは、ファクシミリ送信失敗から予め定められた待機時間が経過したか否かを確認する（ステップ♯１８）。尚、予め定められた「待機時間」は、受信可能状態への復帰を待つための時間であり、任意の値に設定可能である。例えば、操作パネル２で待機時間は設定可能とされてもよい。
【０１２０】
予め定められた待機時間が経過すれば（ステップ♯１８のＹｅｓ）、例えば、♯ステップ９に移行する。一方、予め定められた待機時間が経過していなければ（ステップ♯１８のＮｏ）、ステップ♯１６に戻り、確認を続ける。
【０１２１】
このようにして、本発明の通信システム１００、ファクシミリ装置では、送信を行うファクシミリ装置（例えば、送信側複合機１Ｔ）の通信部９は、代行受信先（例えば、代行複合機１Ａ）への条件付送信の送信が失敗したとき、代行受信先（例えば、代行複合機１Ａ）への条件付送信のリダイヤルを行わない。これにより、一度送信に失敗すると、受信条件に起因してエラーになるような無駄な送信が、送信側ファクシミリ装置から、代行受信先に対し行われない。従って、送信側ファクシミリ装置の繰り返しのリダイヤルによる無駄な通信路の利用が無くなり、無駄な通信費用の発生や、話し中による受信不可等の弊害を無くすことができる。尚、条件付送信とは、正常に受信するには、送信側と受信側のファクシミリ装置で、予め条件を合わせる設定が必要な通信の態様である。例えば、ファクシミリにおけるＦコード通信や暗号通信などの機能が該当する。
【０１２２】
又、通信部９は、受信側装置（例えば、受信側複合機１Ｒ）から受信可能状態となっている旨を受信したことをトリガとして、条件付送信を受信側装置に向けて送信する。受信側装置の中には、受信可能な状態であるか否かを通知、応答するものがある。これにより、受信側装置が受信可能状態の旨の受信をトリガとして、条件付送信が本来の送信先（受信側装置）に対して行われる。又、通信部９は、サーバＳＶから、受信側装置から受信可能状態となっている旨を受信したことをトリガとして、条件付送信を受信側装置に向けて送信する。通信ネットワークＮＴに含まれるサーバＳＶには、受信側装置の受信可否を把握するものがある。これにより、通信部９がサーバＳＶに問い合わせ、受信側装置が受信可能状態であることを確認できたことをトリガとして、条件付送信が本来の送信先（受信側装置）に対して行われる。これらにより、無駄なリダイヤル（通信）を防ぎつつ、データ不達のまま終わることを防ぎ、相手方に対し、確実にデータを送信することができ、
【０１２３】
又、報知部（例えば、液晶表示部２１）は、受信側装置（例えば、受信側複合機１Ｒ）及び／又は代行受信先（例えば、代行複合機１Ａ）への条件付送信のリダイヤルを予め定められた回数行っても条件付送信が全て失敗したとき、条件付送信が完了していない旨のエラーメッセージを報知する。又、画像形成部５は、受信側装置及び／又は代行受信先への条件付送信のリダイヤルを予め定められた回数行っても条件付送信が全て失敗したとき、条件付送信が完了していない旨のエラーメッセージを含む画像を形成する。これにより、最終的に受信側装置へのデータ送信に失敗しても、使用者にその旨を報知することができる。又、印刷物（文書）として使用者にその旨を報知することができる。従って、データ未達であることを使用者に対し注意を喚起し、印刷物によりデータ未達であることを使用者に知らせ、送信のやり直しを促し、データ到達の確率を高めることができる。
【０１２４】
（第２の実施形態）
次に、図１４を用いて、第２の実施形態を説明する。図１４は、本発明の第２の実施形態に係る送信側複合機１Ｔでのファクシミリ送信の制御の流れの一例を示すフローチャートである。
【０１２５】
尚、第２の実施形態は、第１の実施形態とは、条件付送信であるため代行受信先に正常に送信できない場合のリダイヤルの手順、制御が異なる。しかし、第２の実施形態の通信システム１００や各複合機１は、ハードウェアとしての構成は同様でよい。そこで、第１の実施形態と共通するものについては、同一の符号を付し、説明、図示は省略する。
【０１２６】
第２の実施形態は、代行受信先に対し条件付送信を行ったところ、正常に受信されないとき、以後、代行受信先に対しリダイヤルを行わず、もともとの送信先（本説明では受信側複合機１Ｒ）に対しリダイヤルで送信する点は第１の実施形態と同様である。そして、第１の実施形態では、受信側複合機１Ｒの受信可能状態への復帰をトリガとしてリダイヤルが行なわれていた。
【０１２７】
しかし、受信側複合機１ＲやサーバＳＶから送信側複合機１Ｔに受信可能状態に復帰した旨の通知がなされるとは限らず、受信側複合機１ＲやサーバＳＶが送信側複合機１Ｔに受信可能状態に復帰した旨を通知する機能を備えていなくてはならない。そこで、本実施形態では、もともとの送信先（本説明では受信側複合機１Ｒ）に対しリダイヤルで送信するとき、通常のリダイヤルの待ち時間（送信失敗から再度発呼やリダイヤルを行うまでの時間）よりも、待ち時間を長くする。これにより、通常のリダイヤルよりも、リダイヤルを行う時間が長くなり、受信側複合機１Ｒへのデータが到達しやすくなる。
【０１２８】
そこで、図１４を用いて、第２の実施形態を説明する。図１４に示すフローチャートは、第１の実施形態と同様の部分を含み、第１の実施形態におけるステップ♯１５以下の部分が異なる。尚、その他のステップ（ステップ♯１〜ステップ♯１４）は、第１の実施形態と同様でよく、説明を援用するものとして説明を省略する。
【０１２９】
第２の実施形態では、ステップ♯１５で、送信側複合機１Ｔの制御部７は、通常のリダイヤルでの待ち時間よりも、待ち時間を長くして通信部９にリダイヤル処理を行わせる（ステップ♯１９）。即ち、通信部９は、代行受信先（例えば、代行複合機１Ａ）への条件付送信の送信が失敗してから、条件がないときの待ち時間以上の予め定められた待ち時間の経過後、受信側装置（例えば、受信側複合機１Ｒ）に向け条件付送信のリダイヤルを行う。
【０１３０】
そして、送信側複合機１Ｔの制御部７は、リダイヤル送信が正常に終了したかを確認する（ステップ♯２０）。もし、正常に終了すれば（ステップ♯２０のＹｅｓ）、ファクシミリ送信が無事に完了したので、本制御は終了すればよい（エンド）。一方、正常に終了していなければ、送信側複合機１Ｔの制御部７は、リダイヤル回数が所定回数に到達したかを確認する（ステップ♯２１）。所定回数は、通常のリダイヤルの場合よりも増やすようにしてもよい（ステップ♯５やステップ♯１４のリダイヤルよりも回数を多くしてもよい）。
【０１３１】
リダイヤルを所定回数していれば（ステップ♯２１のＹｅｓ）、ステップ♯８に移行する。そして、本制御は終了される（エンド）。一方、リダイヤル回数が所定回数に到達していなければ（ステップ♯２１のＮｏ）、ステップ♯１９に戻る。
【０１３２】
このようにして、本発明の通信システム１００、ファクシミリ装置では、通信部９は、予め定められた待ち時間の経過後、受信側装置（例えば、受信側複合機１Ｒ）に向け条件付送信のリダイヤルを行う。これにより、リダイヤルしても無駄な代行受信先（例えば、代行複合機１Ａ）ではなく、受信側装置に向けてリダイヤルが行われ、受信側装置へのデータ到達の確率を高めることができる。又、直前の送信失敗からリダイヤルするまでの間隔が長くなるほど、受信側装置が受信可能な状態に復帰する確率は高くなるところ、通信部９は、予め定められた待ち時間待ってからリダイヤルするので、更に、受信側装置へのデータ到達の確率を高めることができる。
【０１３３】
（第３の実施形態）
次に、図１５を用いて、第３の実施形態を説明する。図１５は、本発明の第３の実施形態に係る送信側複合機１Ｔでのファクシミリ送信の制御の流れの一例を示すフローチャートである。
【０１３４】
尚、第３の実施形態は、第１、第２の実施形態とは、条件付送信であるため代行受信先に正常に送信できない場合のリダイヤルの手順、制御が異なる。しかし、第３の実施形態の通信システム１００や各複合機１は、ハードウェアとしての構成は同様でよい。そこで、第１、第２の実施形態と共通するものについては、同一の符号を付し、説明、図示は省略する。
【０１３５】
ファクシミリでの送受信では、機密性を考慮してＦコード親展送信機能や暗号送信機能が用いられる。しかし、使用者によっては、機密性よりもデータを（ファクシミリを）相手に到達させることが何よりも大事と考える場合がある。第３の実施形態は、代行受信先に対し条件付送信を行ったところ、正常に受信されないとき、以後、代行受信先に対し、条件を外してリダイヤルを行う点で第１、第２の実施形態と異なる。これにより、のデータが到達しやすくなる。
【０１３６】
そこで、図１５を用いて、第３の実施形態を説明する。図１５に示すフローチャートは、第１の実施形態と同様の部分を含み、第１の実施形態におけるステップ♯１６以下の部分が異なる。尚、その他のステップ（ステップ♯１〜ステップ♯１５）は、第１の実施形態と同様でよく、説明を援用するものとして説明を省略する。
【０１３７】
第３の実施形態では、代行複合機１Ａ（代行受信先）への条件付送信が失敗すると、送信側複合機１Ｔの制御部７は、送信しようとするデータを条件付送信における設定（条件）を外す（ステップ♯２２）。例えば、送信側複合機１Ｔの制御部７は、Ｆコード親展送信ではサブアドレスとパスワード、暗号通信では、暗号鍵番号を示すデータを削除し、Ｆコード親展送信や暗号送信機能を利用しないようにする。即ち、通信部９は、代行受信先（例えば、代行複合機１Ａ）への条件付送信の送信が失敗したとき、条件を外して代行受信先に送信を行う。
【０１３８】
送信側複合機１Ｔの制御部７は、条件付送信ではなく、通常のファクシミリ送信としてリダイヤル処理を行い、再度、ファクシミリ送信を代行受信先に行う（ステップ♯２３）。そして、ステップ♯６に移行する。尚、ステップ♯２３からステップ♯６に移行した場合、代行受信先を送信先として更なるリダイヤルが行われる。
【０１３９】
このようにして、本発明の通信システム１００、ファクシミリ装置では、通信部９は、代行受信先（例えば、代行複合機１Ａ）への条件付送信の送信が失敗したとき、受信条件を外して代行受信先に送信を行う。これにより、受信条件を外すことで、通常のファクシミリ送信と同様にすることで、代行受信先でデータを受信させることもできる。従って、確実にデータを相手方に到達させることができる。
【０１４０】
他の実施形態を説明する。上記の説明では、送信側ファクシミリ装置、受信側ファクシミリ装置、代行受信するファクシミリ装置として、いずれも複合機１を用いる例を説明した。しかし、送信側、受信側、代行受信のいずれか、あるいは全てに関し、複合機１に変えて、ＦＡＸ専用機を用いてもよい。
【０１４１】
本発明の実施形態を説明したが、本発明の範囲はこれに限定されるものではなく、発明の主旨を逸脱しない範囲で種々の変更を加えて実施することができる。
【産業上の利用可能性】
【０１４２】
本発明はファクシミリ装置や、通信システム１００に利用可能である。
【符号の説明】
【０１４３】
１      複合機                        １Ｔ    送信側複合機（ファクシミリ装置）
１Ｒ    受信側複合機（受信側装置、ファクシミリ装置）
１Ａ    代行複合機（代行受信先、ファクシミリ装置）
２      操作パネル                    ２１    液晶表示部（報知部）
２２    タッチパネル部（入力部）      ２３    テンキー部（入力部）
５      画像形成部                    ９      通信部
１００  通信システム                  ＳＶ    サーバ
【図１】
2012099963.tif 000003
【図２】
2012099963.tif 000004
【図３】
2012099963.tif 000005
【図４】
2012099963.tif 000006
【図５】
2012099963.tif 000007
【図６】
2012099963.tif 000008
【図７】
2012099963.tif 000009
【図８】
2012099963.tif 000010
【図９】
2012099963.tif 000011
【図１０】
2012099963.tif 000012
【図１１】
2012099963.tif 000013
【図１２】
2012099963.tif 000014
【図１３】
2012099963.tif 000015
【図１４】
2012099963.tif 000016
【図１５】
2012099963.tif 000017